(57)【要約】【課題】同方式の機器が多数存在する環境では、識別コードの相互通信が正常に行なえなくなる可能性が高く、機器の使用が不可能となる可能性があった。【解決手段】送信器３５と受信器２３を含む通信手段を備え、該通信手段により識別コード信号を一定の強度で送出する無線セキュリティユニット１と、通信手段及び情報処理手段を有し、かつ、情報処理手段の機能をロック又はロック解除する機能ロック解除ユニット３を有する携帯型の機器とからなるシステムの機器のセキュリティ保護方法であって、無線セキュリティユニット１が毎回のポーリング毎に次回ポーリングまでの時間であるポーリング間隔をランダムに設定し機器２Ａに通知することで、ポーリング間隔を動的に変更し、ポーリング間隔の間はスリープモードの低消費電力状態に遷移して消費電力を抑え、かつ周囲に同じ方式の機器が複数存在する場合の相互干渉を回避する。【選択図】図１
2008228125.tif 000002
【特許請求の範囲】
【請求項１】
送信器と受信器を含む通信手段を備え、該通信手段により識別コード信号を一定の強度で送出する無線セキュリティユニットと、
通信手段及び情報処理手段を有し、かつ、前記情報処理手段の機能をロック又はロック解除する機能ロック解除手段を有する携帯型の機器とからなり、
接続待ち受け状態の機器に対し、無線セキュリティユニットがサーチをかけ、無線セキュリティユニットと機器とが相互に認証を行い、認証に成功した後は無線セキュリティユニットからのポーリングに対して機器がレスポンスを返し、
無線セキュリティユニットがそのレスポンスを受信して認証することにより接続を維持し、接続が維持されている間は前記機能ロック解除ユニットがロックを解除して前記情報処理手段の機能動作を可能とし、
機器が無線セキュリティユニットからのポーリングを受信できなかった場合に前記機能ロック解除ユニットが前記情報処理手段の機能動作をロックすることによりセキュリティ保護を実現する機器のセキュリティ保護方法であって、
無線セキュリティユニットが毎回のポーリング毎に次回ポーリングまでの時間であるポーリング間隔をランダムに設定し機器に通知することで、前記ポーリング間隔を動的に変更し、ポーリング間隔の間は機器をスリープモードの低消費電力状態に遷移して消費電力を抑え、かつ周囲に同じ方式の機器が複数存在する場合の相互干渉を回避することを特徴とする機器のセキュリティ保護方法。
【請求項２】
前記機器が無線セキュリティユニットからのポーリングを受信できなかった場合に、機器は前回ポーリング受信時に設定されたポーリング間隔をポーリング受信に成功するまで維持することを特徴とする請求項１記載の機器のセキュリティ保護方法。
【請求項３】
前記無線セキュリティユニットが機器のレスポンスを受信出来なかった場合には、機器が無線セキュリティユニットのポーリングを受信出来なかった場合と、機器が無線セキュリティユニットのポーリングを受信できたが、機器のレスポンスを無線セキュリティユニットが受信できなかった場合の二通りが考えられる事を考慮して、
無線セキュリティユニットは前回ポーリング時に設定したポーリング間隔ｔ１と、今回ポーリング時に設定したポーリング間隔ｔ２のいずれか短い方を採用して、次回のポーリングを前記短い方のポーリング間隔に設定して行うが、それでも無線セキュリティユニットが機器のレスポンスを受信出来なかった場合には、前記ｔ１が採用された場合、ポーリング間隔ｔ１＋ｔ１と、ｔ２のいずれか短い方にて、次回ポーリングのポーリング間隔に設定して行い、無線セキュリティユニットが機器のレスポンスを受信できるまで、順次繰り返すことを特徴とする請求項２記載の機器のセキュリティ保護方法。
【請求項４】
前記無線セキュリティユニットが機器のレスポンスを一定時間受信できなかった場合に、ポーリングの送信を停止して機器との接続を解除することを特徴とする請求項３記載の機器のセキュリティ保護方法。
【請求項５】
前記機器が無線セキュリティユニットのポーリングを一定時間受信出来なかった場合に、接続待ち受け状態に遷移して前記情報処理手段の機能をロックすることを特徴とする請求項４記載の機器のセキュリティ保護方法。
【発明の詳細な説明】
【技術分野】
【０００１】
本発明は、携帯電話機、ＰＤＡ、ノート型パソコン等の通信手段及び情報処理手段を有する携帯型の機器（携帯型情報処理装置）に、送信器及び受信器を含む通信手段を有する無線セキュリティユニットを組み合わせることで、該機器の外出先での置き忘れや盗難などにより所有者又は使用者以外の他人に無断使用されるのを防止すると共に、周囲に同じ方式の機器が多数存在する場合の相互干渉回避を可能とし、かつ消費電力の低減を可能にした機器のセキュリティ保護方法に関するものである。
【背景技術】
【０００２】
(1) ：従来例１
以下、特許文献１を従来例１として説明する。従来例１には次のような内容が記載されている。
【０００３】
(a) ：「この発明は、携帯電話機などの各種機器が置き忘れや盗難などにより無断使用されるのを防止する機器の使用制限装置に関する。」・・・段落番号［０００１］参照
(b) ：「携帯電話機が大量に普及すると、それに伴って置き忘れや盗難などにより所有者以外の者の手に渡るなどの事故も多くなり、所有者以外の者が無断使用するという事態も発生する。このような無断使用を防止する対策として従来より携帯電話機には使用制限機能が付加されている。」・・・段落番号［０００３］参照
(c) ：「かかる使用制限の１つとして、所有者の暗証番号（ＩＤ）によって使用制限を解除し通話を可能とする方式のものがある。このような使用制限機能を有する携帯電話機は、例えば特開平６−２９１８３５号公報により開示されている。この公報による携帯電話機では、暗証コードを記憶した暗証コードメモリを備え、入力キーから電話番号と暗証コードを入力し、その入力された暗証コードが予めメモリに記憶されている暗証コードに一致する場合のみ通話を可能にする。」・・・段落番号［０００４］参照
(d) ：「使用制限機能を付与する他の例として、特開平６−３２６６５９号公報による携帯電話装置が知られている。この携帯電話装置は、通常の電話番号である着番号の他に付随して着サブアドレス信号を受ける受信部を設け、その携帯電話機に外部より電話送信した際に所定の着サブアドレス信号がない限りロック手段を非作動とし各種動作を解除して通話を可能とし、所定の着サブアドレス信号を受けると各種ロックをして不正使用を防止するというものである。」・・・段落番号［０００５］参照
(e) ：「この発明は、上述した携帯電話機の種々の問題点に留意して、置き忘れや盗難により携帯電話機などの機器が所有者又は使用者の手元から離れると機器そのものを使用不能にすると共に機器が一定距離以上離れたことを警告することができる機器の使用制限装置を提供することを課題とする。」・・・段落番号［００１２］参照
（従来例１のシステム運用時のタイミングチャートの説明）
図１４は、従来のシステム運用時のタイミングチャートである。以下、図１４に基づいて、従来例１のシステム運用時のタイミングチャートを説明する。なお、図１４において、○印は送信（応答も含む）、●印は受信、×印は２つの電波干渉により受信不能状態、ｔ００はポーリング間隔を示す。
【０００４】
この例は、無線セキュリティユニットを用いたセキュリティ保護方式の機器が複数存在する場合の例であり、無線セキュリティユニットＡと機器Ｂ、無線セキュリティユニットＣと機器Ｄは同じ周期ｔ００でポーリング−レスポンスを繰り返し、接続を維持（＝機能動作許可）しているため、同方式の機器が複数存在する場合には、機器の起動のタイミングにより相互干渉が起こり、接続を維持できなくなる（＝機能ロック）可能性が高い。なお、前記機器Ｂ、機器Ｄは、例えば携帯電話機である。
【０００５】
(2) ：従来例２
以下、特許文献２を従来例２として説明する。従来例２には次のような内容が記載されている。
【０００６】
(a) ：「携帯情報機器の紛失、盗難時等の不正使用や個人情報漏洩防止に好適であって、本来の利便性を損なうことなく高度なセキュリティを実現することのできるセキュリティ装置及び方法を提供すること」・・・要約の欄を参照
(b) ：「２つの機器を近距離無線通信を利用した相互認証によってペアとなし、ペアの条件が成立しなくなったときに携帯型情報機器が備える一部機能を一時的に失効させる。ペアの条件が成立すれば、再度、失効させた機能を有効に戻す。携帯型情報機器の使用時或いは適当な時間間隔で、２つの機器間でペアが成立しているかどうかを相互認証する。ペアを形成する他方の機器は、バッチやペンダントなど、所有者が常時身につけられるような携帯性を有する。」・・・要約の欄を参照
(3) ：従来例３
以下、特許文献３を従来例３として説明する。従来例３には次のような内容が記載されている。
【０００７】
(a) ：「１スーパフレーム毎の送信間隔を変化させることにより、制御チャネル上の非同期干渉を回避して、子機の制御チャネル受信確率を向上させることが可能なデジタルコードレス電話装置を提供することを目的としている。」・・・要約の欄を参照
(b) ：「自営用親機と移動用子機とからなるデジタルコードレス電話装置であって、親機が、子機に対し、ランダム関数により計算される時間間隔に従いスーパフレームを送信する一方、子機の方では、親機から送信される報知情報を受信して、同一ランダム関数により計算される時間間隔に従い、以後親機から送信される報知情報を間欠受信することを特徴としている。」・・・要約の欄を参照
【特許文献１】特許第２９３１２７６号公報
【特許文献２】特開２００３−２８８３２８号公報
【特許文献３】特開平７−７５１６６号公報
【発明の開示】
【発明が解決しようとする課題】
【０００８】
(1) ：従来例１は、携帯電話の盗難や置き忘れによる所有者以外の者の無断使用を防止するために、携帯電話の所有者がカード形態の識別信号送信機を所持し、携帯電話と識別信号送信機との間で予め定めた識別コードを相互に送信し、双方で識別コードを確認できた時に携帯電話の使用を可能とするものである。
【０００９】
ところが、従来例１の方法では、機器の使用可能な状態を維持するため、一定の時間間隔で識別コードの相互通信を行う必要があり、同方式の機器が多数存在する場合に、一度相互干渉が起きると、一定の時間間隔で識別コードの相互通信が行われるため、相互干渉が繰り返し起き、ついに接続を維持できなくなる。
【００１０】
このように、従来例１のように同方式の機器が多数存在する環境では、識別コードの相互通信が正常に行なえなくなる可能性が高く、機器の使用が不可能となる可能性があった。
【００１１】
(2) ：従来例２は、２つの機器を近距離無線通信を利用した相互認証によってペアとなし、ペアの条件がなくなったときに携帯型情報機器が備える一部機能を一時的に失効させる。ペアの条件が成立すれば、再度、失効させた機能を有効に戻す。携帯型情報機器の使用時或いは適当な時間間隔で、２つの機器間でペアが成立しているかどうかを相互認証する。ペアを形成する他方の機器は、バッチやペンダントなど、所有者が常時身につけられるような携帯性を有するという内容である。
【００１２】
しかし、従来例２には、特許請求の範囲に記載された本発明の必須構成要件が含まれておらず、本発明の技術的バックグラウンド程度の内容である。
【００１３】
(3) ：従来例３は、自営用親機と移動用子機とからなるデジタルコードレス電話装置であって、親機が、子機に対し、ランダム関数により計算される時間間隔に従いスーパフレームを送信する一方、子機の方では、親機から送信される報知情報を受信して、同一ランダム関数により計算される時間間隔に従い、以後親機から送信される報知情報を間欠受信するという内容である。
【００１４】
しかし、従来例３には、特許請求の範囲に記載された本発明の必須構成要件が含まれておらず、本発明の技術的バックグラウンド程度の内容である。
【００１５】
本発明は従来の課題を解決するためになされたものであり、多数の機器（携帯電話機を含む携帯型情報処理装置）が狭いエリア内に多数存在する環境で使用しても、電波の相互干渉を軽減し、機器の使用を可能にすることを目的としている。
【課題を解決するための手段】
【００１６】
本発明は前記の目的を達成するため、次のように構成した。
【００１７】
(1) ：送信器と受信器を含む通信手段を備え、該通信手段により識別コード信号を一定の強度で送出する無線セキュリティユニットと、通信手段及び情報処理手段を有し、かつ、前記情報処理手段の機能をロック又はロック解除する機能ロック解除手段を有する携帯型の機器とからなり、接続待ち受け状態の機器に対し、無線セキュリティユニットがサーチをかけ、無線セキュリティユニットと機器とが相互に認証を行い、認証に成功した後は無線セキュリティユニットからのポーリングに対して機器がレスポンスを返し、無線セキュリティユニットがそのレスポンスを受信して認証することにより接続を維持し、接続が維持されている間は前記機能ロック解除ユニットがロックを解除して前記情報処理手段の機能動作を可能とし、機器が無線セキュリティユニットからのポーリングを受信できなかった場合に前記機能ロック解除ユニットが前記情報処理手段の機能動作をロックすることによりセキュリティ保護を実現する機器のセキュリティ保護方法であって、無線セキュリティユニットが毎回のポーリング毎に次回ポーリングまでの時間であるポーリング間隔をランダムに設定し機器に通知することで、前記ポーリング間隔を動的に変更し、ポーリング間隔の間は機器をスリープモードの低消費電力状態に遷移して消費電力を抑え、かつ周囲に同じ方式の機器が複数存在する場合の相互干渉を回避することを特徴とする。
【００１８】
(2) ：前記(1) の機器のセキュリティ保護方法において、前記機器が無線セキュリティユニットからのポーリングを受信できなかった場合に、機器は前回ポーリング受信時に設定されたポーリング間隔をポーリング受信に成功するまで維持することを特徴とする。
【００１９】
(3) ：前記(2) の機器のセキュリティ保護方法において、前記無線セキュリティユニットが機器のレスポンスを受信出来なかった場合には、機器が無線セキュリティユニットのポーリングを受信出来なかった場合と、機器が無線セキュリティユニットのポーリングを受信できたが、機器のレスポンスを無線セキュリティユニットが受信できなかった場合の二通りが考えられる事を考慮して、無線セキュリティユニットは前回ポーリング時に設定したポーリング間隔ｔ１と、今回ポーリング時に設定したポーリング間隔ｔ２のいずれか短い方を採用して、次回のポーリングを前記短い方のポーリング間隔に設定して行うが、それでも無線セキュリティユニットが機器のレスポンスを受信出来なかった場合に、前記ｔ１が採用された場合、ポーリング間隔ｔ１＋ｔ１と、ｔ２のいずれか短い方にて、次回ポーリングのポーリング間隔に設定して行い、無線セキュリティユニットが機器のレスポンスを受信できるまで、順次繰り返すことを特徴とする。
【００２０】
(4) ：前記(3) の機器のセキュリティ保護方法において、前記無線セキュリティユニットが機器のレスポンスを一定時間受信できなかった場合に、ポーリングの送信を停止して機器との接続を解除することを特徴とする。
【００２１】
(5) ：前記(4) の機器のセキュリティ保護方法において、前記機器が無線セキュリティユニットのポーリングを一定時間受信出来なかった場合に、接続待ち受け状態に遷移して前記情報処理手段の機能をロックすることを特徴とする。
【００２２】
（作用）
以下、前記構成に基づく本発明の作用を説明する。
【００２３】
(a) ：前記(1) の作用
無線セキュリティユニット１が毎回のポーリング毎に次回ポーリングまでの時間であるポーリング間隔をランダムに設定し機器に通知する。これにより、ポーリング間隔を動的に変更し、ポーリング間隔の間は機器をスリープモードの低消費電力状態に遷移して消費電力を抑え、かつ周囲に同じ方式の機器が複数存在する場合の相互干渉を回避する。
【００２４】
このようにすれば、多数の機器（携帯電話機を含む携帯型情報処理装置）が狭いエリア内に多数存在する環境で使用しても、電波の相互干渉を軽減し、機器の使用を可能にすることができる。
【００２５】
(b) ：前記(2) の作用
機器が無線セキュリティユニットからのポーリングを受信できなかった場合に、機器は前回ポーリング受信時に設定されたポーリング間隔をポーリング受信に成功するまで維持する。
【００２６】
このようにすれば、多数の機器（携帯電話機を含む携帯型情報処理装置）が狭いエリア内に多数存在する環境で使用しても、電波の相互干渉を軽減し、機器の使用を可能にすることができる。
【００２７】
(c) ：前記(3) の作用
無線セキュリティユニットが機器のレスポンスを受信出来なかった場合には、機器が無線セキュリティユニットのポーリングを受信出来なかった場合と、機器が無線セキュリティユニットのポーリングを受信できたが、機器のレスポンスを無線セキュリティユニットが受信できなかった場合の二通りが考えられる事を考慮して、無線セキュリティユニットは前回ポーリング時に設定したポーリング間隔ｔ１と、今回ポーリング時に設定したポーリング間隔ｔ２のいずれか短い方を採用して、次回のポーリングを前記短い方のポーリング間隔に設定して行うが、それでも無線セキュリティユニットが機器のレスポンスを受信出来なかった場合には、前記ｔ１がさいようされた場合、ポーリング間隔ｔ１＋ｔ１と、ｔ２のいずれか短い方にて、次回ポーリングのポーリング間隔に設定して行い、無線セキュリティユニットが機器のレスポンスを受信できるまで、順次繰り返す。
【００２８】
このようにすれば、多数の機器（携帯電話機を含む携帯型情報処理装置）が狭いエリア内に多数存在する環境で使用しても、電波の相互干渉を軽減し、機器の使用を可能にすることができる。
【００２９】
(d) ：前記(4) の作用
無線セキュリティユニット１が機器のレスポンスを一定時間受信できなかった場合に、ポーリングの送信を停止して機器との接続を解除する。
【００３０】
このようにすれば、多数の機器（携帯電話機を含む携帯型情報処理装置）が狭いエリア内に多数存在する環境で使用しても、電波の相互干渉を軽減し、機器の使用を可能にすることができる。
【００３１】
(e) ：前記(5) の作用
機器が無線セキュリティユニットのポーリングを一定時間受信出来なかった場合に、接続待ち受け状態に遷移して前記情報処理手段の機能をロックする。
【００３２】
このようにすれば、多数の機器（携帯電話機を含む携帯型情報処理装置）が狭いエリア内に多数存在する環境で使用しても、電波の相互干渉を軽減し、機器の使用を可能にすることができる。
【発明の効果】
【００３３】
本発明は請求項１乃至５により次のような効果がある。
【００３４】
(1) ：無線セキュリティユニットが毎回のポーリング毎に次回ポーリングまでの時間であるポーリング間隔をランダムに設定し機器に通知する。これによりポーリング間隔を動的に変更し、ポーリング間隔の間は機器をスリープモードの低消費電力状態に遷移して消費電力を抑え、かつ周囲に同じ方式の機器が複数存在する場合の相互干渉を回避する。
【００３５】
このようにすれば、多数の機器（携帯電話機を含む携帯型情報処理装置）が狭いエリア内に多数存在する環境で使用しても、電波の相互干渉を軽減し、機器の使用を可能にすることができる。
【００３６】
(2) ：同方式の機器（例えば、携帯電話機）が多数存在する場合でも、機器の機能を損なうことなく、無線セキュリティユニットによる高度なセキュリティの適用が可能となり、使い勝手の向上に寄与するところが大である。
【発明を実施するための最良の形態】
【００３７】
以下の説明では、前記機器を携帯電話機とした例について説明する。
【００３８】
§１：概要説明
図１は本発明の原理説明図である。図１において、１は無線セキュリティユニット、２Ａは機器（携帯電話機）、３は機能ロック解除ユニット、２３は受信器、３５は送信器を示す。以下、図１に基づいて、以下に説明する機器のセキュリティ保護方法の概要を説明する。
【００３９】
(1) ：送信器３５と受信器２３を含む通信手段を備え、該通信手段により識別コード信号を一定の強度で送出する無線セキュリティユニット１と、通信手段及び情報処理手段を有し、かつ、前記情報処理手段の機能をロック又はロック解除する機能ロック解除ユニット３を有する携帯型の機器（この例では、携帯電話機）とからなり、接続待ち受け状態の機器２Ａ（携帯電話機）に対し、無線セキュリティユニット１がサーチをかけ、無線セキュリティユニット１と機器２Ａ（携帯電話機）とが相互に認証を行い、認証に成功した後は無線セキュリティユニット１からのポーリングに対して機器２Ａ（携帯電話機）がレスポンスを返し、無線セキュリティユニット１がそのレスポンスを受信して認証することにより接続を維持し、接続が維持されている間は機能ロック解除ユニット３がロックを解除して情報処理手段の機能動作を可能とし、機器２Ａ（携帯電話機）が無線セキュリティユニット１からのポーリングを受信できなかった場合に機能ロック解除ユニット３が情報処理手段の機能動作をロックすることによりセキュリティ保護を実現する機器２Ａ（携帯電話機）のセキュリティ保護方法であって、無線セキュリティユニット１が毎回のポーリング毎に次回ポーリングまでの時間であるポーリング間隔をランダムに設定し機器２Ａ（携帯電話機）に通知することで、前記ポーリング間隔を動的に変更し、ポーリング間隔の間は機器をスリープモードの低消費電力状態に遷移して消費電力を抑え、かつ周囲に同じ方式の機器が複数存在する場合の相互干渉を回避する。
【００４０】
(2) ：前記(1) の機器のセキュリティ保護方法において、機器２Ａ（携帯電話機）が無線セキュリティユニット１からのポーリングを受信できなかった場合に、機器２Ａ（携帯電話機）は前回ポーリング受信時に設定されたポーリング間隔をポーリング受信に成功するまで維持する。
【００４１】
(3) ：前記(2) の機器のセキュリティ保護方法において、無線セキュリティユニット１が機器２Ａ（携帯電話機）のレスポンスを受信出来なかった場合には、機器２Ａ（携帯電話機）が無線セキュリティユニット１のポーリングを受信出来なかった場合と、機器２Ａ（携帯電話機）が無線セキュリティユニット１のポーリングを受信できたが、機器２Ａ（携帯電話機）のレスポンスを無線セキュリティユニット１が受信できなかった場合の二通りが考えられる事を考慮して、無線セキュリティユニット１は前回ポーリング時に設定したポーリング間隔ｔ１と、今回ポーリング時に設定したポーリング間隔ｔ２のいずれか短い方を採用して、次回のポーリングを前記短い方のポーリング間隔に設定して行うが、それでも無線セキュリティユニット１が機器２Ａ（携帯電話機）のレスポンスを受信出来なかった場合には、前記でｔ１が採用された場合、ポーリング間隔ｔ１＋ｔ１と、ｔ２のいずれか短い方にて、次回ポーリングのポーリング間隔に設定して行い、無線セキュリティユニット１が機器２Ａ（携帯電話機）のレスポンスを受信できるまで、順次繰り返す。
【００４２】
(4) ：前記(3) の機器のセキュリティ保護方法において、無線セキュリティユニット１が機器２Ａ（携帯電話機）のレスポンスを一定時間受信できなかった場合に、ポーリングの送信を停止して機器２Ａ（携帯電話機）との接続を解除する。
【００４３】
(5) ：前記(4) の機器のセキュリティ保護方法において、機器（携帯電話機）が無線セキュリティユニット１のポーリングを一定時間受信出来なかった場合に、接続待ち受け状態に遷移して前記情報処理手段の機能をロックする。
【００４４】
(6) ：前記(5) の機器のセキュリティ保護方法において、無線セキュリティユニット１と機器２Ａ（携帯電話機）の連続接続時間が長くなるに従い、無線セキュリティユニット１が発するポーリング間隔を長くすることにより、より一層の消費電力低減を図る。
【００４５】
§２：システムの概念の説明
図２はシステムの説明図である。以下、図２に基づいてシステムの概念を説明する。
【００４６】
このシステムは、無線セキュリティユニット１と携帯電話機２からなるシステムである。このシステムにおいて、無線セキュリティユニット１は、送信器と受信器を含む通信手段を備え、該通信手段により識別コード信号を一定の強度で送出する機能を備えているものである。また、携帯電話機２は、通信手段及び情報処理手段を有し、かつ、前記情報処理手段の機能をロック又はロック解除する機能ロック解除ユニット３を有する機器である。
【００４７】
このようなシステムにおいて、接続待ち受け状態の機器に対し、無線セキュリティユニット１がサーチをかけ、無線セキュリティユニットと携帯電話機２とが相互に認証を行い、認証に成功した後は無線セキュリティユニット１からのポーリングに対して携帯電話機２がレスポンスを返し、無線セキュリティユニット１がそのレスポンスを受信して認証することにより接続を維持する。
【００４８】
そして、接続が維持されている間は機能ロック解除ユニット３がロックを解除して情報処理手段の機能動作を可能とし、携帯電話機２が無線セキュリティユニット１からのポーリングを受信できなかった場合に機能ロック解除ユニット３が情報処理手段の機能動作をロックすることによりセキュリティ保護を実現する。
【００４９】
なお、前記無線セキュリティユニット１と携帯電話機２とは相互に通信可能な状態で使用する必要がある。しかし、この場合、前記通信は極めて近距離での通信しかできないように構成しているので、携帯電話機２の近辺に無線セキュリティユニット１を置くことが必要である。
【００５０】
§３：無線セキュリティユニットの説明
図３は無線セキュリティユニットのブロック図である。図３において、１はカード形態の無線セキュリティユニットの例である。
【００５１】
無線セキュリティユニット１は、送信アンテナ２２からポーリング間隔と識別コードを含むポーリング信号を送信する送信器３５と、後で説明する機能ロック解除ユニット３の送信器（図５参照）から送り返されるレスポンス信号を受信アンテナ２１を介して受信する受信器２３を備えている。
【００５２】
ポーリング信号を送信する送信系は、乱数発生器５６で生成したポーリング間隔を送受信制御部３２に送り、送受信制御部３２の指令でポーリング間隔と識別コードメモリ３１に設定されている識別コードを送出し、ＦＳＫ変調回路３４で搬送波によりＦＳＫ変調した後、送信器３５からポーリング信号の送信信号を送出するようにしている。
【００５３】
なお、送受信制御部３２は、内部にポーリング間隔タイマや受信待ちタイマ等の各種タイマを持つマイクロプロセッサ（ＭＰＵ）である。
【００５４】
３３は電源制御回路、３７は電源部であり、電源制御回路３３からの信号により、スイッチ（ＳＷ）３６を閉じて各部へ電力を供給する。上記レスポンス信号を受信する受信系は、後に次のような構成要素が接続されている。先ず、受信したレスポンス信号はＦＳＫ復調回路２５でＦＳＫ復調され、一致・加算回路２９へ送られる。
【００５５】
そして、一致・加算回路２９では、予め識別コードメモリ３１に記憶されている識別コードを読み出してレスポンス信号に含まれる識別コードがこの識別コードと一致しているか判断（認証）するために、識別コードの各ビット毎の一致点を加算処理する。上記加算処理した出力信号（パルス圧縮信号、これについては後述する）は、閾値処理部２８へ出力し、この閾値処理部２８では上記出力信号を、予め閾値設定部３０で設定される閾値と比較し、上記出力信号が閾値を超えていれば、タイミング信号を信号有無判定部２６へ送る。
【００５６】
一方、上述した受信器２３で受信したレスポンス信号は信号レベル検出回路２４へも送られており、この回路で検出された信号レベルを表す信号が信号有無判定部２６へ送られる。この信号有無判定部２６へは、上記の他にも前述したＦＳＫ復調回路２５からのレスポンス信号と識別コードメモリ３１からの識別コード信号も入力されている。
【００５７】
上記信号有無判定部２６は、上記レスポンス信号と識別コードが一致しているかを判定し、かつ閾値処理部２８からのタイミング信号を受けた後で一定時間ｔ内に受信するレスポンス信号の信号レベルが一定値以上であるかを判定し、上記２つの判定が共に成立する限り出力信号を発しないが、上記一致判定が成立するも信号レベルが一定値以下と判定したときは警報部２７及び表示部５７へ警報信号及び表示信号を出力するようになっている。
【００５８】
§４：携帯電話機の説明
図４は携帯電話機のブロック図である。図４において、２は携帯電話機であり、前記無線セキュリティユニット１（図３参照）と無線で相互通信可否により携帯電話機２の機能動作をロック又はロック解除する機能ロック解除ユニット３を含んでいる。無線セキュリティユニット１は携帯電話機２とは分離して独立のカード形態とし、機能ロック解除ユニット３は携帯電話機２に内蔵されている。ただし、機能ロック解除ユニット３は携帯電話機２の外側に一体に装着するようにしても良い。
【００５９】
携帯電話機２は、従来の一般的なものの回路に機能ロック手段として機能ロック回路を付加したものである。無線セキュリティユニット１は携帯電話機２の所有者が携行して携帯電話機２と共に一定の距離範囲内に置いて使用される。無線セキュリティユニット１はカード形態以外にも、鍵など持ち運びに便利であれば、どんな形態でも良い。
【００６０】
携帯電話機２そのものは一般的なものであるから、以下に簡単にその構成を説明する。携帯電話機２には、送話系統、受話系統、電話番号入力系統、電源部が備えられている。送話系統では、音声はマイクロフォン１１で音声信号に変換された後、音声増幅回路１０で増幅され、変調回路１２で搬送波信号により変調され、更にその変調信号を送信アンプ１４で増幅した後、送受信アンテナ２０から基地局へ向けて送信されるようになっている。
【００６１】
受話系統では、着信した呼信号を受信アンプ１７で増幅し、番号認識回路１５で番号認識を行った後、着信音発生回路１３から着信音がスイッチ１９を通してスピーカ（ＳＰＫ）１６から発せられ、使用者が着信応答作業をすることにより、スイッチ１９が切り替わって音声入力モードとなり、受信アンプ１７で増幅した受信信号を受信復調回路１８で音声信号として復調し、その音声信号をスイッチ１９を通してスピーカ（ＳＰＫ）１６へ送り、音声として再生するようになっている。
【００６２】
電話番号入力系統では、機能ロック回路のＡＮＤゲート７にテンキー・機能キー６、スイッチ４の信号が入力されるように回路が接続されており、テンキー・機能キー６で入力される暗証番号に基づく警報解除回路５の出力により、スイッチ４を操作し、スイッチ４からの信号および機能ロック解除ユニット３からの機能ロック解除信号の成立を条件に電話番号入力モードが設定されると、テンキー・機能キー６から入力された電話番号がＡＮＤゲート７を通り、電話番号入力回路８へ送られ、電話番号発生回路９を介して変調回路１２、送信アンプ１４を通り送受信アンテナ２０から送信されるようになっている。
【００６３】
なお、電源部５５の電源は携帯電話機２の電源スイッチ（図示省略）によって操作され、上記各系統の回路へ電力を供給している。この電源は、後で説明する機能ロック解除ユニット３の一部に対して共通に用いても良く、或いは別の独立電源を用いても良い。
【００６４】
§５：機能ロック解除ユニットの説明
図５は機能ロック解除ユニットのブロック図である。
【００６５】
機能ロック解除ユニット３は図５のようになっており、基本構成は図３に示した無線セキュリティユニット１とほぼ同じであるが、部分的には若干異なっており、以下、その異なる部分を中心に説明する。
【００６６】
無線セキュリティユニット１から送られたポーリング信号に基づいて信号有無判定部４３で信号の有無を判定し、ポーリング信号を受信している限り信号有無判定部４３はなんら信号を出力しない点は無線セキュリティユニット１と同じであるが、出力信号がなければ機能ロック解除信号発生部４４から常に使用制限解除信号を発生し、ポーリング信号を受信しなくなると信号有無判定部４３からの出力信号で機能ロック解除信号発生部４４から解除信号を送信するのを停止させる点が異なっている。
【００６７】
また、ポーリング間隔は無線セキュリティユニット１から受信するポーリング信号に含まれるため、機能ロック解除ユニット３には乱数発生器は不要となる。電源部５４（既に説明したように、携帯電話機２の電源部５５と共通でも良く、或いは別の独立電源でも良い）の電力は、電源制御回路５０からの信号により、スイッチ５３を閉じて各部への電力を供給する。
【００６８】
なお、ポーリング信号を受信できない場合、信号有無判定部４３からの出力信号により、送受信制御部４９は連続受信状態となり、電源制御回路５０からの信号により、スイッチ５３は閉じたままの状態がポーリング信号を受信できるまで継続される。
【００６９】
信号有無判定部４３と機能ロック解除信号発生部４４の電源は、送受信を行わないポーリング間隔で機能ロックがかからないようにするため、電源部５４からスイッチ５３を経由せずに電力供給を受けるものとし、ポーリング間隔では信号有無判定部４３からの出力信号は直前の状態を保持するものとする。その他の構成部材は、基本的には前記無線セキュリティユニット１と同じである。
【００７０】
§６：システム全体の説明
前記無線セキュリティユニット１、携帯電話機２及び機能ロック解除ユニット３を含むシステム全体の各構成の説明では、無線セキュリティユニット１からのポーリング信号は、予め設定された固有のコード信号を含む信号としているが、この例では、このポーリング信号は、Ｍ系列信号とその後に続くポーリング間隔、携帯電話機２の製造番号の固有コード信号とからなる。
【００７１】
ポーリング信号にＭ系列信号を含ませたのは、後に説明するように、ポーリング信号を受信した際にその受信信号が自己の携帯電話機２のものであるかを認識する特有の回路処理の際に都合が良い信号となるためである。
【００７２】
なお、このポーリング信号は、無線セキュリティユニット１と機能ロック解除ユニット３の相互認証が完了するまでは任意の時間間隔（例えば、１００ｍｓ）毎に繰り返し、相互認証完了後は乱数発生器５６により生成されたポーリング間隔（例えば、５００〜２５００ｍｓ）で繰り返す間欠的な信号として送信される。これは節電のためであり、バッテリの消耗を防止し、安定して長時間の通信を可能にするためである。
【００７３】
Ｍ系列信号は、２値疑似雑音信号の一種であり、２のｎ乗から１を減じた長さ、すなわち、（２n −１）の長さを持つ１と０からなる符号系列であって、例えば、ｎ＝５であれば、３１ビットの信号である。このＭ系列信号を一致・加算回路２９へ送ると、パルス圧縮信号が得られる。このパルス圧縮では、入力信号であるＭ系列信号は、１／３１の信号圧縮が行われる。
【００７４】
また、上記固有コード信号は、携帯電話機２の製造台数分が必要であるが、ｍビットの長さの符号長さとすれば、２m 種類が可能であり、例えば、ｍ＝３０とすると、約１０億種類の固有コード信号が可能である。本例では、固有コード信号は、携帯電話機２の製造番号としているが、他のＩＤ番号でも良い。
【００７５】
上記Ｍ系列信号と固有コード信号を予め識別コードとして識別コードメモリ３１に格納しておけば、携帯電話機２の置き忘れや盗難時の無断使用を効果的に防止することができるが、更に、乱数発生器５６で生成されたランダムなポーリング間隔でポーリング識別コードを送出することにより、同方式の機器（例えば、携帯電話機２）が多数存在する環境でも、相互干渉を回避することが可能となる。
【００７６】
§７：システム運用時のタイミングチャートの説明
図６はシステム運用時のタイミングチャート（その１）であり、Ａ図は例１、Ｂ図は例２を示す。また、図７はシステム運用時のタイミングチャート（その２）であり、Ａ図は例３を示す。以下、図６、７に基づいて、システム運用時のタイミングチャートについて説明する。
【００７７】
なお、図６、７において、○印は送信（応答も含む）、●印は受信、×印は２つの電波干渉により受信不能状態、ｔ１０、ｔ１１、ｔ１２、ｔ１３、ｔ２１、ｔ２２、ｔ２３等はポーリング間隔を示す。
【００７８】
(1) ：例１（図６のＡ図参照）
例１では、無線セキュリティユニットＡと携帯電話機Ｂの組み合わせによるセキュリティ保護方法である。この例では、無線セキュリティユニットＡはポーリングの度に、次回ポーリングまでの時間ｔ１ｘを送信データとして携帯電話機Ｂに送る。
【００７９】
その後、無線セキュリティユニットＡが携帯電話機Ｂからのレスポンスを正常に受信できた場合は、無線セキュリティユニットＡが携帯電話機Ｂに対し、ｔ１ｘ後にポーリングを送信する。なお、前記ｘは０、１、２、３等の変数である。
【００８０】
(2) ：例２（図６のＢ図参照）
例２では、無線セキュリティユニットＡと携帯電話機Ｂの組み合わせ、及び無線セキュリティユニットＣと携帯電話機Ｄの組み合わせによるセキュリティ保護方法を適用した例である。
【００８１】
このように、無線セキュリティユニット１を用いたセキュリティ保護方法を適用する携帯電話機２が複数存在（この例では、携帯電話機Ｂ、Ｄ）する場合、ポーリング間隔を動的に変更しながら接続を維持（＝機能動作許可）しているため、仮に相互干渉しても復旧が可能である。
【００８２】
(3) ：例３（図７のＡ図参照）
例３では、無線セキュリティユニットＡと携帯電話機Ｂの組み合わせ、及び無線セキュリティユニットＣと携帯電話機Ｄの組み合わせによるセキュリティ保護方法を適用した例である。
【００８３】
このように、無線セキュリティユニット１を用いたセキュリティ保護方法を適用する携帯電話機２が複数存在（この例では、携帯電話機Ｂ、Ｄ）する場合、ポーリング間隔を動的に変更しながら接続を維持（＝機能動作許可）しているため、仮に相互干渉しても復旧が可能である。
【００８４】
§８：無線セキュリティユニットの処理の説明
図８は無線セキュリティユニット１の処理フローチャート（その１）、図９は無線セキュリティユニット１の処理フローチャート（その２）、図１０は無線セキュリティユニット１の処理フローチャート（その３）、図１１は無線セキュリティユニット１の処理フローチャート（その４）である。以下、図８乃至図１１に基づいて、無線セキュリティユニットの処理を説明する。なお、図８乃至図１１においてＳ１〜Ｓ３２は各処理ステップを示す。
【００８５】
先ず、無線セキュリティユニット１は、ポーリング間隔ｔｐｃに１００ｍｓを設定（ｔｐｃ＝１００ｍｓ）し（Ｓ１）、ポーリング信号を送信する（Ｓ２）。次に、送受信制御部３２内の受信待ちタイマをスタートさせ（Ｓ３）、受信待ちとなる。この場合、受信待ちタイマは、数ｍｓの信号受信時間と無線セキュリティユニット１及び機能ロック解除ユニット３（携帯電話機２内）の処理時間を考慮し、２０ｍｓでタイムアウトするように設定する。
【００８６】
次に、信号有無判定部２６によりレスポンス信号が受信できているか（レスポンス信号認証ＯＫか）どうかを判定する（Ｓ４）。その結果、レスポンス信号が正常に受信できていない場合（レスポンス信号認証ＮＯの場合）は、受信待ちタイマがタイムアウトしているかを確認する（Ｓ５）。受信待ちタイマがタイムアウトしていない場合は、引き続き受信待ち状態を継続し、Ｓ４の処理へ移行する。受信待ちタイマがタイムアウトしている場合は、ポーリングタイミングまでスリープする（Ｓ６）することにより、消費電力の低減を実現する。
【００８７】
なお、スリープの間、スイッチ３６を開き、不要な部分への電力供給を行なわないようにする。ポーリングタイミングに達すると、スリープから復帰し、Ｓ１の処理へ移行する。ここまでの処理は、機能ロック解除ユニット３のサーチに相当する。
【００８８】
Ｓ４の処理でレスポンス信号が正常に受信できた場合（レスポンス信号認証ＯＫの場合）は、機能ロック解除ユニット３（携帯電話機２内）のサーチは完了である。送受信制御部３２が内部に持っている連続接続時間タイマをスタートさせ（Ｓ７）、最初に接続してからどの程度の時間が経過したか、測定できるように準備する。また、送受信制御部３２内の接続切断検出タイマをスタートさせ（Ｓ８）、一定時間（７５００ｍｓ間）レスポンスを受信できなかった場合に、タイムアウトによって検知できるようにする。
【００８９】
次に、次回ポーリングタイミングを示すｔｐｃを別の変数ｔｐｐにコピーし（ｔｐｐ＝ｔｐｃ）、ｔｐｃには乱数発生器５６により生成したポーリング間隔を設定（ｔｐｃ＝ｒｎｄ（ｘ））する。ここで、乱数発生器５６から生成するポーリング間隔の範囲は、５００〜２０００ｍｓとするが、連続接続時間が１分以上に達した場合は、１０００〜２５００ｍｓとする。次に、ポーリングタイミングまでスリープする（Ｓ１０）。            その後、スリープから復帰し、ポーリング信号を送信（Ｓ１１）した後、受信待ちタイマをスタートさせ（Ｓ１２）、受信待ちとなる。タイマ設定時間は、Ｓ３の処理と同様、２０ｍｓとする。次に、Ｓ４の処理と同様に、レスポンス信号が受信できているかを確認（レンポンス信号認証ＯＫかを確認）する（Ｓ１３）。レスポンス信号が正常に受信できた場合（レンポンス信号認証ＯＫの場合）は、連続接続時間が１分を超えたかを確認し（Ｓ１５）、１分を超えていた場合は、ポーリング間隔を１０００〜２５００ｍｓに変更（ｒｎｄ（ｘ）の範囲を１０００〜２５００ｍｓに変更）して（Ｓ１６）、Ｓ８の処理へ移行し、接続切断検出タイマを再スタートさせる。
【００９０】
また、前記Ｓ１３の処理でレスポンス信号が正常に受信できていない場合は、受信待ちタイマがタイムアウトしているかを確認する（Ｓ１４）。受信待ちタイマがタイムアウトしていない場合は、引き続き受信待ち状態を継続し、Ｓ１３の処理へ移行する。
【００９１】
一方、Ｓ１４の処理で、受信待ちタイマがタイムアウトしている場合は、本来のポーリングタイミングを示すｔｐｃを別の変数ｔｐｔにコピー（ｔｐｔ＝ｔｐｃ）し（Ｓ１７）、ｔｐｐとｔｐｔを比較（ｔｐｐ＜ｔｐｔかを比較）し（Ｓ１８）、ｔｐｐがｔｐｔ以上である場合は、ｔｐｐとｔｐｔの値を入れ換え（Ｓ１９）、新たな変数ｒにｔｐｔ÷ｔｐｐの結果を保存し、別の変数ｎの値を１に初期化（ｎ＝１）する（Ｓ２０）。次に、ポーリング間隔ｔｐｃにｔｐｐを設定（ｔｐｃ＝ｔｐｐ）し、かつｎをインクリメント（ｎ＝ｎ＋１）した（Ｓ２１）後、ポーリングタイミングまでスリープする（Ｓ２２）。
【００９２】
その後、スリープから復帰し、ポーリング信号を送信（Ｓ２３）した後、受信待ちタイマをスタートし、受信待ちとなる（Ｓ２４）。ここでもタイマの設定値は、これまでと同様、２０ｍｓとする。次に、これまでと同様に、レスポンス信号が受信できているかを確認（レスポンス信号認証はＯＫかを確認）する（Ｓ２５）。その結果、レスポンス信号が正常に受信できた場合（レスポンス信号認証ＯＫの場合）は、Ｓ７の処理へ移行する。そして、連続接続時間タイマを再スタートさせる。
【００９３】
次に、Ｓ２５の処理で、レスポンス信号が正常に受信できていない場合（レスポンス信号認証ＮＯの場合）は、受信待ちタイマがタイムアウトしているかを確認する（Ｓ２６）。受信待ちタイマがタイムアウトしていない場合は、引き続き受信待ち状態を継続し、Ｓ２５の処理へ移行する。受信待ちタイマがタイムアウトしている場合は、接続切断検出タイマがタイムアウトしているかを確認する（Ｓ２７）。
【００９４】
接続切断検出タイマがタイムアウトしている場合は、機能ロック解除ユニット３が通信可能圏外にある、すなわち、携帯電話機２の盗難や置き忘れが発生したと判断し、警報による通知を行う（Ｓ３２）。また、Ｓ２７の処理で、接続切断検出タイマがタイムアウトしていない場合は、変数ｎが変数ｒより小さいか確認し（Ｓ２８）、小さい場合はＳ２１の処理へ移行し、ポーリングタイミングの設定から繰り返す。
【００９５】
また、Ｓ２８の処理で、変数ｎが変数ｒ以上となった場合で、変数ｎと変数ｒが等しい場合（Ｓ２９）は変数ｎをインクリメント（ｎ＝ｎ＋１）する（Ｓ３０）。変数ｎと変数ｒが等しい場合も変数ｎが変数ｒより大きい場合も、ポーリング間隔ｔｐｃにはｔｐｔの値を設定（ｔｐｃ＝ｔｐｔ）し、変数ｒの値は２倍に（ｒ＝ｒ＊２）してｒに設定する（Ｓ３１）。その後、Ｓ２２へ移行しポーリングタイミングまでスリープから繰り返す。
【００９６】
§９：機能ロック解除ユニットの処理の説明
図１２は機能ロック解除ユニットの処理フローチャート（その１）、図１３は機能ロック解除ユニットの処理フローチャート（その２）である。以下、図１２、１３に基づいて、機能ロック解除ユニットの処理を説明する。
【００９７】
機能ロック解除ユニット３を起動すると、先ず、機能ロック状態となる（Ｓ４１）。無線セキュリティユニット１からのポーリング信号受信待ち状態となるが、ここでは無線セキュリティユニット１からのポーリング信号送信タイミングが不明のため、受信待ちタイマ等は使用せず、常時受信待ち状態を維持する（Ｓ４２）。
【００９８】
次に、信号有無判定部４３により、ポーリング信号が受信できているかどうか（ポーリング信号認証ＯＫか）を判定する（Ｓ４３）。ポーリング信号が正常に受信できていない場合（ポーリング信号認証ＮＯの場合）、Ｓ４２へ移行し、接続待ち状態を継続する。
【００９９】
また、Ｓ４３の処理で、ポーリング信号が正常に受信できた場合（ポーリング信号認証ＯＫの場合）、接続切断検出タイマをスタートし（Ｓ４４）、一定時間（７５００ｍｓ間）レスポンスを受信できなかった場合に、タイムアウトによって検知できるようにする。また、機能ロック解除信号発生部４４より機能ロック解除信号を出力し（Ｓ４５）、機能ロック解除を行った後、レスポンス信号を送信する（Ｓ４６）。
【０１００】
レスポンス信号送信後、無線セキュリティユニット１から受信したポーリング信号に含まれるポーリング間隔をｔｐｃに設定し（Ｓ４７）、ポーリングタイミングまでスリープ（Ｓ４８）する。スリープにより、消費電力の低減を実現することは、無線セキュリティユニット１と同様である。なお、スリープの間、スイッチ５３を開き、不要な電力供給を行なわないようにすることもまた、無線セキュリティユニット１と同様である。
【０１０１】
その後、ポーリングタイミングになると、スリープから復帰し、受信待ちタイマをスタートしてポーリング信号受信待ちとなる（Ｓ４９）。Ｓ５０では、Ｓ４３と同様にポーリング信号を受信できているかを確認する。すなわち、ポーリング信号認証ＯＫか否かを判断し（Ｓ５０）、ポーリング信号を正常に受信できている場合（ポーリング信号認証ＯＫの場合）、Ｓ４６へ移行し、レスポンス信号送信から繰り返す。
【０１０２】
また、Ｓ５０の処理で、ポーリング信号を正常に受信できなかった場合（ポーリング信号認証ＮＯの場合）、受信待ちタイマがタイムアウトしているか確認する（Ｓ５１）。受信待ちタイマがタイムアウトしていない場合は、引き続き受信待ち状態を継続し、Ｓ５０の処理に移行する。Ｓ５１で受信待ちタイマがタイムアウトした場合は、接続切断検出タイマがタイムアウトしているか確認する（Ｓ５２）。
【０１０３】
タイムアウトしていない場合、ｔｐｃの値を変更せず、Ｓ４８へ移行し、ポーリングタイミングまでスリープから繰り返す。また、Ｓ５２で、接続切断検出タイマがタイムアウトした場合は、Ｓ４１の処理に移行し、機能ロックして接続待ち受け状態になる。
【０１０４】
§１０：その他の説明
(1) ：前記の例は、機器として携帯電話機を用いた場合の例であるが、本発明はこのような例に限らず、携帯電話機、ＰＤＡ、ノート型パソコン等の通信手段及び情報処理手段を有する携帯型の機器（携帯型情報処理装置）に全て適用可能である。
【０１０５】
(2) ：無線セキュリティユニット１は、カード型、キーホルダ型、その他、任意の形状のものが適用可能である。
【０１０６】
§１１：付記
前記の説明に対し、次のような構成を付記する。
【０１０７】
（付記１）
送信器と受信器を含む通信手段を備え、該通信手段により識別コード信号を一定の強度で送出する無線セキュリティユニットと、
通信手段及び情報処理手段を有し、かつ、前記情報処理手段の機能をロック又はロック解除する機能ロック解除手段を有する携帯型の機器とからなり、
接続待ち受け状態の機器に対し、無線セキュリティユニットがサーチをかけ、無線セキュリティユニットと機器とが相互に認証を行い、認証に成功した後は無線セキュリティユニットからのポーリングに対して機器がレスポンスを返し、
無線セキュリティユニットがそのレスポンスを受信して認証することにより接続を維持し、接続が維持されている間は前記機能ロック解除ユニットがロックを解除して前記情報処理手段の機能動作を可能とし、
機器が無線セキュリティユニットからのポーリングを受信できなかった場合に前記機能ロック解除ユニットが前記情報処理手段の機能動作をロックすることによりセキュリティ保護を実現する機器のセキュリティ保護方法であって、
無線セキュリティユニットが毎回のポーリング毎に次回ポーリングまでの時間であるポーリング間隔をランダムに設定し機器に通知することで、前記ポーリング間隔を動的に変更し、ポーリング間隔の間は機器をスリープモードの低消費電力状態に遷移して消費電力を抑え、かつ周囲に同じ方式の機器が複数存在する場合の相互干渉を回避することを特徴とする機器のセキュリティ保護方法。
【０１０８】
（付記２）
前記機器が無線セキュリティユニットからのポーリングを受信できなかった場合に、機器は前回ポーリング受信時に設定されたポーリング間隔をポーリング受信に成功するまで維持することを特徴とする付記１記載の機器のセキュリティ保護方法。
【０１０９】
（付記３）
前記無線セキュリティユニットが機器のレスポンスを受信出来なかった場合には、機器が無線セキュリティユニットのポーリングを受信出来なかった場合と、機器が無線セキュリティユニットのポーリングを受信できたが、機器のレスポンスを無線セキュリティユニットが受信できなかった場合の二通りが考えられる事を考慮して、
無線セキュリティユニットは前回ポーリング時に設定したポーリング間隔ｔ１と、今回ポーリング時に設定したポーリング間隔ｔ２のいずれか短い方を採用して、次回のポーリングを前記短い方のポーリング間隔に設定して行うが、それでも無線セキュリティユニットが機器のレスポンスを受信出来なかった場合には、前記でｔ１が採用された場合、ポーリング間隔ｔ１＋ｔ１と、ｔ２のいずれか短い方にて、次回ポーリングのポーリング間隔に設定して行い、無線セキュリティユニットが機器のレスポンスを受信できるまで、順次繰り返すことを特徴とする付記２記載の機器のセキュリティ保護方法。
【０１１０】
（付記４）
前記無線セキュリティユニットが機器のレスポンスを一定時間受信できなかった場合に、ポーリングの送信を停止して機器との接続を解除することを特徴とする付記３記載の機器のセキュリティ保護方法。
【０１１１】
（付記５）
前記機器が無線セキュリティユニットのポーリングを一定時間受信出来なかった場合に、接続待ち受け状態に遷移して前記情報処理手段の機能をロックすることを特徴とする付記４記載の機器のセキュリティ保護方法。
【０１１２】
（付記６）
無線セキュリティユニットと機器の連続接続時間が長くなるに従い、無線セキュリティユニットが発するポーリング間隔を長くすることにより、より一層の消費電力低減を図ることを特徴とする付記５のセキュリティ保護方法。
【０１１３】
（付記７）
前記機器には、機能ロック解除ユニットと、該機能ロック解除ユニットから出力される使用制限制御信号によりオン／オフされるスイッチと、該スイッチの出力信号によりゲートのオン／オフが制御されＡＮＤゲートが設けてあり、
前記ＡＮＤゲートの出力信号により前記情報処理手段の機能をロック又はロック解除されることを特徴とする付記１乃至６記載のセキュリティ保護方法。
【０１１４】
（付記８）
前記無線セキュリティユニットには、送受信制御部と、乱数発生部と、信号レベル検出回路と、信号有無判定部とが設けてあり、
前記送受信制御部により、前記乱数発生部で発生させた乱数を用いて前記ポーリング信号のポーリング間隔を制御する機能と、
受信器を介して受信した前記機器からの信号のレベルを、前記信号レベル検出回路により検出し、前記信号有無判定部で信号有無を判定する機能とを備えていることを特徴とする付記１乃至６記載のセキュリティ保護方法。
【０１１５】
（付記９）
前記機能ロック解除ユニットには、送受信制御部と、信号レベル検出回路と、信号有無判定部と、機能ロック解除信号発生部が設けてあり、
受信器を介して受信した前記機器からの信号のレベルを、前記信号レベル検出回路により検出し、前記信号有無判定部で信号有無を判定する機能と、
前記信号有無判定部で判定した情報を用いて前記機能ロック解除信号発生部より、機能ロック又は機能ロック解除信号が出力される機能とを備えていることを特徴とする付記１乃至６記載のセキュリティ保護方法。
【図面の簡単な説明】
【０１１６】
【図１】本発明の原理説明図である。
【図２】実施の形態におけるシステムの説明図である。
【図３】実施の形態における無線セキュリティユニットのブロック図である。
【図４】実施の形態における携帯電話機のブロック図である。
【図５】実施の形態における機能ロック解除ユニットのブロック図である。
【図６】実施の形態におけるシステム運用時のタイミングチャート（その１）であり、Ａ図は例１、Ｂ図は例２である。
【図７】実施の形態におけるシステム運用時のタイミングチャート（その２）である。
【図８】実施の形態における無線セキュリティユニットの処理フローチャート（その１）である。
【図９】実施の形態における無線セキュリティユニットの処理フローチャート（その２）である。
【図１０】実施の形態における無線セキュリティユニットの処理フローチャート（その３）である。
【図１１】実施の形態における無線セキュリティユニットの処理フローチャート（その４）である。
【図１２】実施の形態における機能ロック解除ユニットの処理フローチャート（その１）である。
【図１３】実施の形態における機能ロック解除ユニットの処理フローチャート（その２）である。
【図１４】従来のシステム運用時のタイミングチャートである。
【符号の説明】
【０１１７】
１  無線セキュリティユニット
２  携帯電話機
２Ａ  機器
３  機能ロック解除ユニット
４  スイッチ（ＳＷ）
５  警報解除回路
６  テンキー・機能キー
７  ＡＮＤゲート
８  電話番号入力回路
９  電話番号発生回路
１０  音声増幅回路
１１  マイクロフォン（ＭＩＣ）
１２  変調回路
１３  着信音発生回路
１４  送信アンプ
１５  番号認識回路
１６  スピーカ（ＳＰＫ）
１７  受信アンプ
１８  受信復調回路
１９  スイッチ（ＳＷ）
２０  送受信アンテナ
２１  受信アンテナ
２２  送信アンテナ
２３  受信器
２４  信号レベル検出回路
２５  ＦＳＫ復調回路
２６  信号有無判定部
２７  警報部
２８  閾値処理部
２９  一致・加算回路
３０  閾値設定部
３１  識別コードメモリ
３２  送受信制御部
３３  電源制御回路
３４  ＦＳＫ変調回路
３５  送信器
３６  スイッチ（ＳＷ）
３７  電源部
３８  受信アンテナ
３９  送信アンテナ
４０  受信器
４１  信号レベル検出回路
４２  ＦＳＫ復調回路
４３  信号有無判定部
４４  機能ロック解除信号発生部
４５  閾値処理部
４６  一致・加算回路
４７  閾値設定部
４８  識別コードメモリ
４９  送受信制御部
５０  電源制御回路
５１  ＦＳＫ変調回路
５２  送信器
５３  スイッチ（ＳＷ）
５４  電源部
５５  電源部
５６  乱数発生器
５７  表示部
【図１】
2008228125.tif 000003
【図２】
2008228125.tif 000004
【図３】
2008228125.tif 000005
【図４】
2008228125.tif 000006
【図５】
2008228125.tif 000007
【図６】
2008228125.tif 000008
【図７】
2008228125.tif 000009
【図８】
2008228125.tif 000010
【図９】
2008228125.tif 000011
【図１０】
2008228125.tif 000012
【図１１】
2008228125.tif 000013
【図１２】
2008228125.tif 000014
【図１３】
2008228125.tif 000015
【図１４】
2008228125.tif 000016